(57)【要約】【課題】ユーザーが湯張り運転途中に入浴してしまった場合や掛け湯等で浴槽の湯を使用した場合、流量センサにより得られる湯張り量と水位センサにより得られる水位の変化量から断面積を求めると、間違った断面積を記憶してしまうという課題があった。【解決手段】制御装置２７の断面積算出手段３６は、湯張り運転開始から湯張り運転完了までの間に入室判定手段３４が人の入室を判定した場合、今回の断面積の算出をしないようにし、湯張り運転開始から湯張り運転完了までの間に入室判定手段３４が人の入室を判定しない場合、今回の断面積の算出をするようにした。【選択図】図２
2020134055.tif 000002
【特許請求の範囲】
【請求項１】
浴槽内の水位を検出する水位センサと、前記浴槽への湯張り量をカウントする風呂流量センサと、浴室内における人の動きを検出する人感センサと、前記浴槽へ湯を供給する湯張り手段とを備え、
前記人感センサの検出結果に基づいて浴室に人が入室したか否かを判定する入室判定手段と、前記浴槽に連通する配管を介して予め任意に定められた湯張り設定量の湯を供給する湯張り運転を行う湯張り運転制御手段と、前記水位センサで検出した検出値と前記風呂流量センサで検出した検出値から前記浴槽の断面積を算出する断面積算出手段とを設けた制御装置と、を備えた風呂給湯装置において、
前記制御装置の前記断面積算出手段は、前記湯張り運転開始から前記湯張り運転完了までの間に前記入室判定手段が人の入室を判定した場合、今回の前記断面積の算出をしないようにし、前記湯張り運転開始から前記湯張り運転完了までの間に前記入室判定手段が人の入室を判定しない場合、今回の前記断面積の算出をするようにしたことを特徴とする風呂給湯装置。
【請求項２】
前記制御装置は、前記湯張り運転開始から前記湯張り設定量よりも低い所定量、または、前記湯張り運転開始から所定時間を超えるまでは、前記入室判定手段の判定結果を受け付けず、前記所定量または前記所定時間を超えた場合は、前記入室判定手段の判定結果によって前記断面積の算出をするか、前記断面積の算出をしないかを決定するようにしたことを特徴とする請求項１記載の風呂給湯装置。
【請求項３】
前記断面積算出手段は、前記湯張り設定量と前記所定量との差の量と、湯張り設定量を湯張りしたときの水位と前記所定量の湯張りをしたときの水位との水位差とから前記断面積を算出するようにしたことを特徴とする請求項２記載の風呂給湯装置。
【請求項４】
前記制御装置は、前記断面積算出手段で算出した断面積を記憶する記憶手段と、前記記憶手段に記憶した回数をカウントするカウント手段を設け、前記カウント手段のカウントが所定カウント以上であった場合、前記断面積算出手段による断面積の算出をしないようにしたことを特徴とするようにしたことを特徴とする請求項１〜３のいずれか１項記載の風呂給湯装置。
【発明の詳細な説明】
【技術分野】
【０００１】
本発明は、水位センサを備えた風呂給湯装置に関するものである。
【背景技術】
【０００２】
従来より、この種の風呂給湯装置においては、浴槽への給湯量を設定するリモコン等の湯量設定手段と、その設定湯量に基づいて、例えばバーナと熱交換器とで水を加熱し、所定温度の湯を直接浴槽へ落とし込んで浴槽に湯張りを行う湯張り運転手段と、その湯張り運転手段による湯張り量を検出する流量センサとが設けられている。又、風呂給湯装置には、浴槽の水位を検出する圧力センサ等の水位センサと、流量センサにより得られる湯張り量と水位センサにより得られる水位の変化量とから浴槽断面積を算出する断面積算出手段とが備えられており、この浴槽断面積を記憶して保持し続け、補水や湯張り運転に利用していた。（特許文献１参照）。
【先行技術文献】
【特許文献】
【０００３】
【特許文献１】特開２００１−２１５０５１号公報
【発明の概要】
【発明が解決しようとする課題】
【０００４】
しかし、この断面積算出手段では、ユーザーが湯張り運転途中に入浴してしまった場合や掛け湯等で浴槽の湯を使用した場合、流量センサにより得られる湯張り量と水位センサにより得られる水位の変化量から断面積を求めると、間違った断面積を記憶して保持し続けてしまうという課題があった。
【課題を解決するための手段】
【０００５】
本発明は上記課題を解決するため、浴槽内の水位を検出する水位センサと、前記浴槽への湯張り量をカウントする風呂流量センサと、浴室内における人の動きを検出する人感センサと、前記浴槽へ湯を供給する湯張り手段とを備え、前記人感センサの検出結果に基づいて浴室に人が入室したか否かを判定する入室判定手段と、前記浴槽に連通する配管を介して予め任意に定められた湯張り設定量の湯を供給する湯張り運転を行う湯張り運転制御手段と、前記水位センサで検出した検出値と前記風呂流量センサで検出した検出値から前記浴槽の断面積を算出する断面積算出手段とを設けた制御装置と、を備えた風呂給湯装置において、前記制御装置の前記断面積算出手段は、前記湯張り運転開始から前記湯張り運転完了までの間に前記入室判定手段が人の入室を判定した場合、今回の前記断面積の算出をしないようにし、前記湯張り運転開始から前記湯張り運転完了までの間に前記入室判定手段が人の入室を判定しない場合、今回の前記断面積の算出をするようにした。
【０００６】
また、前記制御装置は、前記湯張り運転開始から前記湯張り設定量よりも低い所定量、または、前記湯張り運転開始から所定時間を超えるまでは、前記入室判定手段の判定結果を受け付けず、前記所定量または前記所定時間を超えた場合は、前記入室判定手段の判定結果によって前記断面積の算出をするか、前記断面積の算出をしないかを決定するようにした。
【０００７】
また、前記断面積算出手段は、前記湯張り設定量と前記所定量との差の量と、湯張り設定量を湯張りしたときの水位と前記所定量の湯張りをしたときの水位との水位差とから前記断面積を算出するようにした。
【０００８】
また、前記制御装置は、前記断面積算出手段で算出した断面積を記憶する記憶手段と、前記記憶手段に記憶した回数をカウントするカウント手段を設け、前記カウント手段のカウントが所定カウント以上であった場合、前記断面積算出手段による断面積の算出をしないようにした。
【発明の効果】
【０００９】
本発明によれば、入室判定手段が入室ありと判定した場合は、断面積算出手段は断面積の算出を行わないようにすることで、ユーザーが浴室に入室したことで、湯張り運転前の入浴や掛け湯等を行った可能性があり、信頼性の低い浴槽の断面積の算出しないようにすることで、信頼性の高い浴槽の断面積のみを算出することができる。
【図面の簡単な説明】
【００１０】
【図１】本発明の第１実施形態の概略説明図
【図２】本発明の浴槽の断面積の学習についての動作を表すフローチャート
【発明を実施するための形態】
【００１１】
次に、本発明の第１実施形態を図面に基づいて説明する。
１は温水を貯湯する貯湯タンク、２は温水を加熱する加熱手段としてのヒートポンプユニット、３は浴槽である。
【００１２】
また、浴槽３の一般的な構造として底端から上端に向かって広がっていくようになっており、肘掛けの用途でステップが設けられている。
【００１３】
４は貯湯タンク１とヒートポンプユニット２を循環可能に接続する加熱循環回路で、加熱循環ポンプ５を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ６を有しており、この貯湯温度センサ６が所定温度以上を検出することで貯湯量を検知するものである。
【００１４】
７は貯湯タンク１に水を供給する給水管、８は貯湯タンク１内の温水を出湯する出湯管、９は給水管７から分岐し、貯湯タンク１を迂回する給水バイパス管、１０は給水バイパス管９からの冷水と出湯管８からの温水を設定温度になるように混合する給湯混合弁、１１は混合された設定温度の温水を給湯する給湯管、１２は給湯管１１の端部に設けられる給湯栓である。１３は給湯混合弁１０の下流に設けた給湯温度センサ、１４は給湯量をカウントする給湯流量センサである。なお、１５は水道圧を所定の圧力に減圧する減圧弁、１６は加熱されることによる過圧を逃がす圧力逃し弁である。
【００１５】
１７は風呂循環回路で、貯湯タンク１内の湯水と循環する風呂の湯水とを熱交換させる風呂熱交換器１８と浴槽３とを、浴槽３から風呂熱交換器１８に向かう風呂往き管１７ａ及び風呂熱交換器１８から浴槽３に向かう風呂戻り管１７ｂとで循環可能に接続するものである。
【００１６】
１９は風呂循環回路１７に設けられた風呂循環ポンプ、２０は流水の有無を検出する流水センサ、２１は風呂循環回路１６を流れる風呂の温度を検出する風呂温度センサ、２２は湯水の水圧から浴槽３内の水位を検出する水位センサであり、風呂循環回路１７途中の風呂循環ポンプ１９よりも上流側に設けられている。この水位センサ２２は、湯水の水圧から浴槽３内の水位を検出しているので、浴槽３の循環口が露出してしまうと水位検出が行えないため、水位を検出するためには浴槽３の循環口よりも水位が上である必要がある。
【００１７】
２３は給湯管１１途中から分岐されて風呂循環回路１７に接続され浴槽３への湯張りを行うための湯張り管、２４はこの湯張り管２３に設けられ浴槽３への湯張りの開始、停止を行う湯張り弁、２５は浴槽３への湯張り量をカウントする風呂流量センサである。
【００１８】
２６はヒートポンプユニット２の加熱制御を行う加熱制御部、２７は給湯および風呂の制御を行う制御装置で、貯湯温度センサ６、給湯温度センサ１３、給湯流量センサ１４、流水センサ２０、風呂温度センサ２１、水位センサ２２、風呂流量センサ２５の検出値が入力され、加熱循環ポンプ５、給湯混合弁１０、風呂循環ポンプ１９、湯張り弁２４を駆動するものである。
【００１９】
また、浴槽３へ湯を供給するために必要な構成は、貯湯タンク１、給水管７、出湯管８、給水バイパス管９、給湯混合弁１０、給湯管１１、風呂循環回路１７、湯張り管２３、湯張り弁２４で構成される湯張り手段である。
【００２０】
２８は制御装置２７と通信可能で、浴室内に設けられた浴室内リモコンであり、湯張り運転開始や湯張り運転の目標水位である設定水位や目標量である湯張り設定量を設定する操作部２９と、設定内容を表示する表示部３０と、湯張り運転が完了したことを報知する報知部３１と、浴室内における人の有無を検出する人感センサ３２とが設けられている。また３３は、浴室外に設けられた浴室外リモコンであり、浴室内リモコン２８同様に、操作部２９、表示部３０、報知部３１とが設けられている。
【００２１】
人感センサ３２は、検出エリア内の熱源の温度変化量を検出する焦電センサであり、浴室に人がいることを検出する。具体的には、人感センサ３２は、人が移動したときや手足などを動かすことによる検出エリアの温度変化を検出することにより、浴室内に人が在室しているか否かを検出するものであり、人感センサ３２の検出結果に基づいて、制御装置２７に設けられた入室判定手段３４で浴室内への入室と浴室外への退室との判定を行う。
【００２２】
また、制御装置２７には、湯張り運転時の動作を制御する湯張り運転制御手段３５と、水位センサ２２で検出した検出値と風呂流量センサ２５で検出した検出値から浴槽３の断面積を算出する断面積算出手段３６と、断面積算出手段３６で算出した断面積を記憶しておく記憶手段３７と、記憶手段３７に記憶した回数をカウントするカウント手段３８とを備えている。
【００２３】
断面積算出手段３６は、湯張り設定量と湯張り設定量よりも低い所定量との差の量と、湯張り設定量を湯張りしたときの水位と前記所定量の湯張りをしたときの水位との水位差とから断面積を算出している。
【００２４】
この所定量は、浴槽３に設けられている肘掛けステップを超える流量であれば、断面積の変化幅を少なくし、より正確な断面積を算出することができ、湯張り運転開始初期ではユーザーが栓抜け確認をしに浴室に入室する可能性があり、いつまでも断面積の算出を行えないという不具合があるので、所定量達するまでは入室判定手段３４の判定結果を受け付けないことで、いつまでも断面積の算出を行えないという不具合を解消することもできる。
【００２５】
次に、沸き上げ運転について説明する。
沸き上げ要求があると、制御装置２７は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２６】
次に、給湯動作ついて説明する。
給湯栓１２が開かれると給水管７から給水され、貯湯タンク１下部に流入すると共に給水バイパス管９を通り、貯湯タンク１上部から押し出された高温水と給水バイパス管９の給水が給湯ミキシング弁１０で混ぜ合わされ、給湯設定温度と給湯サーミスタ１３で検出された温度が同じなるように調整された湯水が給湯栓１２から給湯される。
【００２７】
また、湯張り運転の各種器具の動作について説明する。
浴室内リモコン２８および浴室外リモコン３３の操作部２９の湯張りスイッチが押されると制御装置２７は湯張り弁２４を開弁し、給水管７から給水を供給し、貯湯タンク１下部に流入すると共に給水バイパス管９を通り、貯湯タンク１上部から押し出された高温水と給水バイパス管９の給水が給湯混合弁１０で混ぜ合わされ、風呂設定温度と風呂温度センサ２１で検出された温度が同じになるように調整された湯水が浴槽３に流入されることで湯張りが開始される。そして、風呂流量センサ２５で流れた流量を検出して、流れた流量の合計積算値が湯張り設定量分流れたら制御装置２７が湯張り弁２４を閉状態にすることで湯張り運転を完了し、風呂温度を自動で保温する自動保温運転に移行する。
【００２８】
また、浴槽３の断面積を記憶しておくことで、浴槽断面積と水位センサ２２の検出値から湯張り量を求めることができるので、まず２本の風呂配管から両搬送で一気に浴槽３に湯張りし、両搬送湯張り後に現在の水位確認を行ってから湯張り設定量の湯が貯まるように残りを湯張りすることで、片搬送で湯張りして風呂流量センサ２５で流れた流量を積算するよりも湯張り運転完了の時間を短縮することができる。
【００２９】
次に、本発明の湯張り運転の断面積の算出について図２のフローチャートに基づいて詳しく説明する。
まず、浴室内リモコン２８および浴室外リモコン３３の操作部２９の湯張りスイッチが操作されると（Ｓ１がＹｅｓ）、制御装置２７は湯張り弁２４を開弁し、湯張り運転の制御を開始し（Ｓ２）、カウント手段３８にカウントされている記憶手段３７で記憶した浴槽断面積のカウントが２以上か確認し（Ｓ３）、カウントが２未満の場合（Ｓ３がＮＯ）、まだ浴槽３の断面積の学習が不十分であるので、湯張り設定量を一定の量（ここでは１８０Ｌ）に決定して（Ｓ４）、風呂設定温度と風呂温度センサ２１で検出された温度が同じになるように調整された温度で湯張りを開始する（Ｓ５）。
【００３０】
そして、風呂流量センサ２５で流れた流量を検出して、流れた流量の合計積算値が所定量分流れたら（Ｓ６がＹｅｓ）、断面積算出手段３６は、所定量と所定量分湯張りしたときの浴槽の水位を保持しておき、制御装置２７は、入室判定手段３４の判定結果を受け付けるようにする。
【００３１】
このとき、入室判定手段３４が入室ありと判定した場合（Ｓ７がＹｅｓ）、浴槽３の断面積の算出を行わず（Ｓ８）、風呂流量センサ２５で流れた流量を検出して、流れた流量の合計積算値が湯張り設定量分流れたら、制御装置２７が湯張り弁２４を閉状態にすることで湯張り運転を完了し（Ｓ９がＹｅｓ）、湯張り運転が完了したことを浴室内リモコン２８及び浴室外リモコン３３の報知部３１で報知する（Ｓ１０）。
【００３２】
このように、入室判定手段３４が入室ありと判定した場合は、断面積算出手段３６は断面積の算出を行わないようにすることで、ユーザーが浴室に入室したことで、湯張り運転前の入浴や掛け湯等を行った可能性があり、信頼性の低い浴槽の断面積の算出しないようにすることで、信頼性の高い浴槽の断面積のみを算出することができる。
【００３３】
また、流れた流量の合計積算値が所定量分を超えてから入室判定手段３４の判定結果を受け付けるようにするのは、湯張り運転開始直後ではユーザーが浴槽３の栓抜け確認等で浴室に入室する可能性があるため、所定量分の湯張りを超えてから入室判定手段３４の判定結果を受け付けるようにすることで、使い勝手の良い断面積の算出を行うことができる。
【００３４】
また、入室判定手段３４が入室ありと判定していない状態で（Ｓ７がＮｏ）、風呂流量センサ２５で流れた流量を検出して、流れた流量の合計積算値が湯張り設定量分流れたら、制御装置２７が湯張り弁２４を閉状態にすることで湯張り運転を完了し（Ｓ１１がＹｅｓ）、断面積算出手段３６は、湯張り設定量と所定量との差の量と、湯張り設定量を湯張りしたときの水位と所定量を湯張りしたときの水位との水位差とから浴槽３の断面積を算出する（Ｓ１２）。
【００３５】
そして、記憶手段３７は、断面積算出手段３６で算出した浴槽３の断面積を記憶し（Ｓ１３）、カウント手段３８で断面積記憶のカウントを＋１して（Ｓ１４）、湯張り運転が完了したことを浴室内リモコン２８及び浴室外リモコン３３の報知部３１で報知する（Ｓ１０）。
【００３６】
このように、浴槽３の断面積は浴槽３の高さが高くなるに連れて大きくなるような構造をしており、また、浴槽３には肘掛け等のステップがあることから、断面積の算出に湯張り設定量と所定量との差の量と、湯張り設定量を湯張りしたときの水位と所定量を湯張りしたときの水位との水位差とを用いて浴槽３の断面積を算出することで、湯張り運転完了時の水位周辺の断面積の平均値を記憶することで、一般的な浴槽３の構造に基づいた適正な断面積の記憶を行うことができる。
【００３７】
また、カウント手段３８にカウントされている記憶手段３７で記憶した浴槽断面積のカウントが２以上か確認し（Ｓ３）、カウントが２以上であった場合（Ｓ３がＮＯ）、浴室内リモコン２８及び浴室外リモコン３３で設定された湯張り設定量に決定し（Ｓ１５）、風呂流量センサ２５で流れた流量を検出して、流れた流量の合計積算値が湯張り設定量分流れたら、制御装置２７が湯張り弁２４を閉状態にすることで湯張り運転を完了し（Ｓ１６がＹｅｓ）、湯張り運転が完了したことを浴室内リモコン２８及び浴室外リモコン３３の報知部３１で報知する（Ｓ１０）。
【００３８】
このように、浴槽３の断面積は浴槽３の入れ替えを行わない限り、経年的に変化するものは無く、複数回分（ここでは２回）の断面積を記憶して記憶しておけば良く、カウント手段３８で複数回分の記憶がされていることが確認できていれば断面積の算出のフローを省略することで、湯張り運転完了までの時間を短縮することができる。
【００３９】
なお、本発明は本実施例に限定されるものではなく、要旨を変更しない範囲で改変する事を妨げるものではなく、例えば、今回はヒートポンプ式貯湯給湯機を用いて説明したが、貯湯タンク１内にヒーターを設けたものやバーナなどの熱源で湯水を加熱する給湯機でもよいものである。
【００４０】
また、湯張り運転完了時の水位センサ２２の検出水位と、湯張り運転完了時に風呂温度センサ２５で検出した総湯張り量とから浴槽３の断面積を算出することもできる。
【００４１】
また、図２のフローには記載されていないが、浴槽３の栓抜け等の外乱が発生し、水位センサ２３で検出した水位が異常と判断できる異常水位であった場合は、断面積の記憶を行わないようにすることで、断面積の算出の信頼性を高めることができる。
【符号の説明】
【００４２】
１      貯湯タンク
３      浴槽
２２    水位センサ
２５    風呂流量センサ
２７    制御装置
２８    浴室内リモコン
３２    人感センサ
３３    浴室外リモコン
３４    入室判定手段
３５    湯張り運転制御手段
３６    断面積算出手段
３７    記憶手段
３８    カウント手段
【図１】
2020134055.tif 000003
【図２】
2020134055.tif 000004